(57)【要約】      （修正有）【課題】組み立てがスピーディーであって、簡単且つ便利であり、さらに、部品の互換性が高く、各種規格のモデルにも適用できるので経済的効果に優れている取り外しが簡単なCPU放熱装置のネジ構造を提供する。【解決手段】取り外しが簡単なCPU放熱装置のネジ構造は、台座、ファン、ヒートシンクユニットからなる。台座の周囲の角部分には、中が空洞の固定穴ユニットがあり、固定穴ユニット内にはどれも固定パーツがあり、ネジを挿入してパネルに固定するようになっている。また、台座の側面には、ファンが取り付けられている。そして、もう一方の側面には、ヒートシンクユニットが取り付けられている。さらに、ヒートシンクユニットには、台座の底部に向かって一組の放熱導管が伸びている。その上、上述のどの固定パーツにも全てバネがはめられていて、その中央には穴があって、ネジを挿入して固定し、組み立てるようになっている。【選択図】図４
0003105792.tif 000002
【実用新案登録請求の範囲】
【請求項１】
放熱装置が、台座、ファン、ヒートシンクユニットからなり、台座は四方の周囲の角に中が空洞の固定穴ユニットがあり、さらに、どの固定穴ユニット内にも固定パーツがあって、ネジを挿入して、パネルに固定するようになっていて、台座の側面にはファンが取り付けられ、もう一方の側面にはヒートシンクユニットが取り付けられて、ファンが回転した際に生じた風がヒートシンクユニットの方向に向かって流れるようになっていて、ヒートシンクユニット底部には、台座底部に向かって一組の放熱導管が伸びていて、上述の固定パーツには全てバネがはめられていて、その中央には穴があって、ネジを挿入して固定し、組み立てるようになっていて、固定パーツの底部は、道具を利用して、パンチプレス方式によって、固定穴ユニット底部にリベット部分が形成されて、固定パーツが固定穴ユニット内にしっかりと固定され、可動式であるが固定穴ユニットから脱落することがないという特徴を持ち、組み立てが簡単且つスピーディーで、時間と手間が省け、部品の互換性も高いので各種規格のモデルにも取り付けが可能であるため、経済効果が高い、取り外しが簡単なCPU放熱装置のネジ構造。
【考案の詳細な説明】
【技術分野】
【０００１】
本考案は取り外しが簡単なCPU放熱装置のネジ構造に関する。本考案の取り外しが簡単なCPU放熱装置のネジ構造は、スピーディーに取り外しができるので、組み立てや分解の際に便利であるという特徴がある。
【背景技術】
【０００２】
従釆のコンピューター内部の放熱装置は、単純にヒートシンク構造あるいはクーリングフローによって放熱が行われた。しかしながら、上記の方法は放熱効果が理想的ではない上、ファンを使っての放熱方法が開発されたことにより、現在ではファンとヒートシンクの組み合わせが主流となっている。しかしながら、この放熱装置は組み立ての際、図1、図2に示すように、通常は放熱装置5の周囲の角部分にネジ50を挿入して締めることにより固定して組み立てる。ネジ50にはバネ51がはめられ、放熱装置5に挿人されてから、固定リング52がはめられて脱落を防いでいる。
しかしながら、このタイプの放熱装置は、従来の放熱装置よりやや放熱効果が優れているものの、ネジで固定する方式は組み立ての際、一定のパネルの上にしか取り付けることができず、パネルが変わると、ネジ、バネ、固定リング等も、それに合った寸法のものに変えなければならなくなるため、極めて不便である。同時に、ネジと組み合わせるバネ、固定リング等の部品は作り直さなければならず、結果的にコストに反映することになり、経済的ではない。したがって、従来の放熱装置の組み立てにおいては、けっして理想的な方法とは言えない。
【考案の開示】
【考案が解決しようとする課題】
【０００３】
考案が解決しようとする課題は、上記従来の問題点を解決した取り外しが簡単なCPU放熱装置のネジ構造を提供することにある。
【課題を解決するための手段】
【０００４】
本考案の取り外しが簡単なCPU放熱装置のネジ構造は、台座、ファン、ヒートシンクユニットからなる。台座の周囲の角部分には、中が空洞の固定穴ユニットがあり、固定穴ユニット内にはどれも固定パーツがあり、ネジを挿入してパネルに固定するようになっている。また、台座の側面には、ファンが取り付けられている。そして、もう一方の側面には、ヒートシンクユニットが取り付けられている。さらに、ヒートシンクユニットには、台座の底部に向かって一組の放熱導管が伸びている。その上、上述のどの固定パーツにも全てバネがはめられていて、その中央には穴があって、ネジを挿入して固定し、組み立てるようになっている。さらに、固定パーツの底部は、パンチプレス方式によって、固定穴ユニット底部にリベット部分が形成されていて、固定パーツが固定穴ユニット内にしっかりと固定され、可動式であるが固定穴ユニットから脱落することがない。したがって、組み立てがスピーディーであり、簡単且つ便利である。さらに、部品の互換性が高く、各種規格のモデルにも適用できるので経済的効果に優れている。
【考案の効果】
【０００５】
本考案の取り外しが簡単なCPU放熱装置は、その底部及び上ふたの部分が特殊な構造になっている。さらに、ヒートシンクの特殊構造により、楽で、簡単且つスピーディーに組み立て、分解ができ、ファンとの組み合わせにより、確実に放熱効果が得られる。また、部品の互換性が高く、各種規格のモデルにも適用できるので経済的効果に優れている。このように、本考案の取り外しが簡単なCPU放熱装置のネジ構造は、従来のタイプのCPU放熱装置のネジ構造の欠点を大きく改善していて、同種の装置より優れた点も多く、実用性も高いという特徴をもつ。
【考案を実施するための最良の形態】
【０００６】
図3を参照いただきたい。本考案の取り外しが簡単なCPU放熱装置1は、台座10、ファン20、ヒートシンクユニット30からなる。
台座10は四方の周囲の角に中が空洞の固定穴ユニット11があり、さらに、どの固定穴ユニット11内にも固定パーツ12があって、ネジ123を挿入して、パネルに固定するようになっている。
【０００７】
台座10の側面にはファン20が取り付けられていて、もう一方の側面にはヒートシンクユニット30が取り付けられていて、ファン20が回転した際に生じた風がヒートシンクユニット30の方向に向かって流れるようになっている。また、ヒートシンクユニット30底部には、台座10底部に向かって一組の放熱導管31が伸びている。
【０００８】
図4から図6を参照いただきたい。上述の固定パーツ12には全てバネ121がはめられている。その中央には穴122があって、ネジ123を挿入して固定し、組み立てるようになっている。さらに、固定パーツ12の底部は、道具13を利用して、パンチブレス方式によって、固定穴ユニット11底部にリベット部分１２４が形成されていて、固定パーツ12が固定穴ユニット11内にしっかりと固定され、可動式であるが固定穴ユニットから脱落することがない。
【０００９】
組み立ての際は、放熱装置1をパネルの上に置き、同時に台座10の周囲にある固定パーツ12を利用して、数個のネジ123を一つずつその穴122に挿入してパネルに固定することにより、放熱装置1の組み立てが完成する。装買を別のパネル上に取り付ける際は、ネジ123をはずし、さらに、適当な寸法のネジ123を選んで締めれば、簡単且つスピーディーに放熱装置の組み立てが完成し、時間も手間もかからない。
【図面の簡単な説明】
【００１０】
【図１】従来の放熱装置の部分構造の断面図である。
【図２】もう一つの従来の放熱装置の部分構造の断面図である。
【図３】本考案の全体外観構造図である。
【図４】本考案の放熱装置を組み立てた状態を示した部分断面図(一)である。
【図５】本考案の放熱装置を組み立てた状態を示した部分断面図(二)である。
【図６】本考案の放熱装置の動作を示した部分断面図である。
【符号の説明】
【００１１】
従来のタイプ
5  放熱装置           50  ネジ
51  バネ              52  固定リング
本考案
1  放熱装置           
10  台座
11 固定穴ユニット      12  固定パーツ
121  バネ             
122  穴
123  ネジ             
124  リベット部分
20  ファン             30  ヒートシンク
31  放熱導管
【図１】
0003105792.tif 000003
【図２】
0003105792.tif 000004
【図３】
0003105792.tif 000005
【図４】
0003105792.tif 000006
【図５】
0003105792.tif 000007
【図６】
0003105792.tif 000008